(57)【要約】【課題】湾曲した場所であっても、湾曲面の端部に配置することができるフレキシブルプリント基板を提供することが可能となる。【解決手段】フレキシブルプリント基板２０は、一方端から他方端側に向かって切り込み３４を有し、ＬＥＤ配置部３０と配線配置部５０との間で折り曲げることができる。このため、ＬＥＤ配線部３０と配線配置部５０との間で折り曲げた状態で配線配置部５０を湾曲すると、切り込み３４の一方端側が開き、ＬＥＤ配置部３０と配線配置部５０との間で折り曲げた状態で配線配置部５０を湾曲させることができる。このとき、配線配置部５０には配線５２が配置されＬＥＤ３２やチップ抵抗３６が配置されていないため、湾曲面に沿って配線配置部５０を湾曲させる際、配線配置部５０の湾曲が妨げられることがない。このため、湾曲面に沿ってフレキシブルプリント基板２０を配置することができる。【選択図】図１
2013183099.tif 000002
【特許請求の範囲】
【請求項１】
一方端側に設けられた複数の光源が配置される光源配置部と、他方端側に設けられた前記光源に電力を供給する配線が配置される配線配置部と、を有し、前記光源配置部と前記配線配置部との間で折り曲げ可能なフレキシブルプリント基板であって、
前記光源配置部には、一方端から他方端側に向かって切り込みを有し、
前記切り込みは、前記光源配置部と前記配線配置部との間で折り曲げた状態で前記配線配置部を湾曲すると一方端側が開く、
フレキシブルプリント基板。
【請求項２】
前記切り込みは、他方端側が曲面である終端部を有し、
前記光源配置部と前記配線配置部は、前記切り込みの他方端側に沿って折り曲げ可能である、
請求項１に記載のフレキシブルプリント基板。
【請求項３】
前記光源配置部と前記配線配置部は、９０°の角度で折り曲げ可能である、
請求項１又は２に記載のフレキシブルプリント基板。
【請求項４】
前記配線配置部は、配線のみが配置される、
請求項１〜３のいずれか１項に記載のフレキシブルプリント基板。
【請求項５】
複数の前記切り込みは、全て同一の長さである、
請求項１〜４のいずれか１項に記載のフレキシブルプリント基板。
【請求項６】
前記切り込みは、前記光源と前記光源との全ての間に設けられている、
請求項１〜５のいずれか１項に記載のフレキシブルプリント基板。
【請求項７】
前記光源は、正面発光型のＬＥＤである、
請求項１〜６のいずれか１項に記載のフレキシブルプリント基板。
【請求項８】
請求項１〜７のいずれか１項に記載のフレキシブルプリント基板と、
湾曲した主面を有し、側面から入射した光を主面に導光する導光板と、
を備え、
前記主面に対向する位置に、前記主面に沿って湾曲した状態で配線配置部が配置され、前記配線配置部と前記光源配置部との間で折れ曲がり、前記側面に対向する位置に前記切り込みの一方端側が開いた状態で前記光源配置部が配置される、
照明装置。
【請求項９】
請求項１〜７のいずれか１項に記載のフレキシブルプリント基板と、
湾曲面と前記湾曲面に隣接する端面とを有する固定部材と、
前記固定部材の端面に対向する位置に配置され、前記光源から照射された光を主面に導光する導光板と、
を備え、
前記湾曲面に沿って前記配線配置部が配置され、前記配線配置部と前記光源配置部との間で折れ曲がり、前記端面に沿って前記切り込みの一方端側が開いた状態で前記光源配置部が配置される、
照明装置。
【請求項１０】
請求項８又は９に記載の照明装置と、
前記主面によって導光された光により、文字、記号、図形又はこれらの組み合わせからなる表示情報を表示する表示部と、
を備えた、
表示装置。
【発明の詳細な説明】
【技術分野】
【０００１】
本発明は、フレキシブルプリント基板、フレキシブルプリント基板を有する表示装置及び照明装置に関する。
【背景技術】
【０００２】
従来、一部を折り曲げ可能なフレキシブルプリント基板が知られている。例えば、特許文献１には、フレキシブルな絶縁基板に少なくとも一本の一端から他端近くまで切り込まれたスリットを形成し、少なくとも2つの帯状部分が他端の連結部でつながる形状に形成し、この絶縁基板の帯状部分の片面に導体パターンを形成し、この導体パターン上であり、且つ、それぞれの帯状部分に沿って直線的に一列に並ぶように発光ダイオードを接合し、帯状部分の連結部において折り曲げることにより各帯状部分を直線状に伸ばして長尺化した照明装置用フレキシブルプリント基板が記載されている。この照明装置用フレキシブルプリント基板を用いることにより、折り曲げや切断による余長吸収や多品番対応を安価に可能とした。
【先行技術文献】
【特許文献】
【０００３】
【特許文献１】特開２００７−１１２２９９号公報
【発明の概要】
【発明が解決しようとする課題】
【０００４】
ところで、従来の折り曲げることのできない平面形状のプリント基板では配置することができなかった位置、例えば、湾曲面や、Ｌ字形状に折れ曲がった端部領域にも配置することができるフレキシブルプリント基板が強く求められている。
【０００５】
しかしながら、特許文献１に記載のフレキシブルプリント基板は、連結部での曲げ伸ばし等により、ＬＥＤの実装面をそろえたり、片面フレキシブルプリント基板を折り曲げることにより擬似的に両面フレキシブルプリント基板としたりすることを目的としたものであり、従来のプリント基板を配置することができなかった湾曲する場所で使用することは、一切考慮されていない。このため、例えば、湾曲面に沿って配置しようとすると、フレキシブルプリント基板に設けられたＬＥＤ等の電子機器によりフレキシブルプリント基板を自由に湾曲することができないという課題がある。
【０００６】
本発明は、このような課題に鑑みなされたものであり、湾曲した場所であっても、湾曲面に沿って配置することができるフレキシブルプリント基板を提供することを主目的とする。
【課題を解決するための手段】
【０００７】
本発明は、上述の主目的を達成するために以下の手段を採った。
【０００８】
本発明のフレキシブルプリント基板は、
一方端側に設けられた複数の光源が配置される光源配置部と、他方端側に設けられた前記光源に電力を供給する配線が配置される配線配置部と、を有し、前記光源配置部と前記配線配置部との間で折り曲げ可能なフレキシブルプリント基板であって、
前記光源配置部には、一方端から他方端側に向かって切り込みを有し、
前記切り込みは、前記光源配置部と前記配線配置部との間で折り曲げた状態で前記配線配置部を湾曲すると一方端側が開く、
ものである。
【０００９】
このフレキシブルプリント基板は、一方端から他方端側に向かって切り込みを有し、前記光源配置部と前記配線配置部の間で折り曲げ可能である。このため、光源配置部と配線配置部との間で折り曲げた状態で配線配置部を湾曲すると、切り込みの一方端側が開き、光源配置部と配線配置部との間で折り曲げた状態で配線配置部を湾曲することができる。こうすることにより、湾曲面の端部であっても、フレキシブルプリント基板を配置することができる。このとき、配線配置部には配線が配置され光源が配置されていないため、湾曲面に沿って配線配置部を湾曲させる際、光源によって配線配置部の湾曲が妨げられることがない。
【００１０】
本発明のフレキシブルプリント基板において、前記切り込みは、他方端側が曲面である終端部を有し、前記光源配置部と前記配線配置部は、前記切り込みの他方端側に沿って折り曲げ可能であってもよい。こうすれば、切り込みの他方端側に沿って折り曲げることができるため、容易に光源配置部と配線配置部との間で折り曲げることができる。加えて、他方端側が曲面である終端部を有しているため、切り込みの一端側が広がった際に、終端部が破損する可能性を未然に低減することができる。言い換えると、配線配置部に配置された配線が破損し、光源に電力が供給されなくなる可能性を未然に低減することができる。
【００１１】
本発明のフレキシブルプリント基板において、前記光源配置部と前記配線配置部は、９０°の角度で折り曲げ可能であってもよい。こうすれば、湾曲面の端部に配置する際に、光源配置部と配線配置部とを９０°の角度で折り曲げることで、湾曲面と端面のそれぞれに沿って光源配置部と配線配置部とを配置することができる。
【００１２】
本発明のフレキシブルプリント基板において、前記配線配置部は、配線のみが配置されるものであってもよい。こうすれば、光源と配線以外の電子部品をフレキシブルプリント基板に備える場合であっても、配線配置部には配線のみが配置されることになるため、配線配置部に電子部品がはんだ等で取り付けられることが無い。このため、配線配置部を湾曲させる際に、はんだ等に亀裂が生じたり、はんだ等が剥落したりして、不具合が生じる可能性を未然に低減することができる。また、配線配置部に電子部品が配置されないため、配線配置部を湾曲させる際に、電子部品によって配線配置部に凹凸が生じることを未然に低減することができ、フレキシブルプリント基板を配置した際の美観に優れる。
【００１３】
本発明のフレキシブルプリント基板において、複数の前記切り込みは、全て同一の長さであってもよい。こうすれば、フレキシブルプリント基板を湾曲面の端部に配置する際に、配線配置部を湾曲面に沿って配置し、端部に沿って折り曲げ部で折り曲げることにより、切り込みの終端部が湾曲面に沿う位置に位置することになる。このため、フレキシブルプリント基板を湾曲面の端部に沿って凹凸なく配置することができる。このとき、切り込みの内側端部が円弧上に位置することになり、光源配置部が放射線状に位置することになるため、美観に優れる。
【００１４】
本発明のフレキシブルプリント基板において、前記切り込みは、前記光源と前記光源との全ての間に設けられていてもよい。こうすれば、フレキシブルプリント基板を湾曲面の端部に配置する際、切り込みと切り込みによって囲まれる光源配置部に常に光源が１つ配置されることになるため、切り込みと切り込みとによって囲まれる光源配置部に配置される光源の数が異なる場合と比較して、導光板の端部に配置した際に、導光板に照射される光のムラを低減することができ、美観に優れる。
【００１５】
本発明のフレキシブルプリント基板において、前記光源は、正面発光型のＬＥＤであってもよい。こうすれば、主面が湾曲する導光板の端部にフレキシブルプリント基板を配置する際、湾曲面に沿って配線配置部を配置し、配線配置部と光源配置部との間で折れ曲がり、端面に沿って光源配置部を配置することで、光源から照射された光が配線配置部と略平行に照射されることになるため、主面が湾曲する導光板の端部に配置した際に、導光版内部に光を照射することができる。
【００１６】
本発明の照明装置は、上述したいずれかのフレキシブルプリント基板と、湾曲した主面を有し、側面から入射した光を主面に導光する導光板と、を備え、前記主面に対向する位置に、前記主面に沿って湾曲した状態で配線配置部が配置され、前記配線配置部と前記光源配置部との間で折れ曲がり、前記側面に対向する位置に前記切り込みの一方端側が開いた状態で前記光源配置部が配置される、ものである。こうすることにより、湾曲する主面を有する導光板の主面及び側面に沿ってフレキシブルプリント基板を配置することができる。
【００１７】
本発明の照明装置は、上述したいずれかのフレキシブルプリント基板と、湾曲面と前記湾曲面に隣接する端面とを有する固定部材と、前記固定部材の端面に対向する位置に配置され、前記光源から照射された光を主面に導光する導光板と、を備え、前記湾曲面に沿って前記配線配置部が配置され、前記配線配置部と前記光源配置部との間で折れ曲がり、前記端面に沿って前記切り込みの一方端側が開いた状態で前記光源配置部が配置される、ものである。こうすることにより、湾曲する湾曲面を有する固定部材の湾曲面及び端面に沿ってフレキシブルプリント基板を配置することができる。
【００１８】
本発明の表示装置は、上述したいずれかの照明装置と、前記主面によって導光された光により、文字、記号、図形又はこれらの組み合わせからなる表示情報を表示する表示部と、を備えた、ものである。この表示装置は、上述したいずれかの照明装置を有しているため、表示部の表示情報を表示する際に、導光板又は固定部材の湾曲面に沿ってフレキシブルプリント基板を配置することができる。
【図面の簡単な説明】
【００１９】
【図１】図１は、フレキシブルプリント基板２０の構成の概略を示す図であり、図１Ａはフレキシブルプリント基板２０の表面側を、図１Ｂはフレキシブルプリント基板２０の裏面側を、それぞれ示す。
【図２】図２は、フレキシブルプリント基板２０を折り曲げる様子を説明するための説明図であり、図２Ａは、使用前のフレキシブルプリント基板２０を、図２Ｂは、折り曲げた状態のフレキシブルプリント基板２０を、それぞれ示す。
【図３】図３は、配線配置部５０を湾曲させた状態のフレキシブルプリント基板２０の構成の概略を示す斜視図である。
【図４】図４は、照明装置６０の構成の概略を示す分解斜視図である。
【図５】図５は、照明装置６０の部分拡大側面図である。
【図６】図６は、表示装置８０の構成の概略を示す分解斜視図である。
【図７】図７は、照明装置６０の他の実施の形態の構成の概略を示す分解斜視図である。
【発明を実施するための形態】
【００２０】
ここで、上記簡単に説明した図面に基づいて、本発明を実施するための形態を説明するにあたり、本実施の形態の構成要素と本発明の構成要素との対応関係を明らかにする。本実施の形態のフレキシブルプリント基板２０が本発明のフレキシブルプリント基板に相当し、ＬＥＤ３２が光源に相当し、切り込み３４が切り込みに相当し、終端部３５が終端部に相当し、ＬＥＤ配置部３０が光源配置部に相当し、配線５２が配線に相当し、配線配置部５０が配線配置部に相当し、照明装置６０が照明装置に相当し、導光板７０が導光板に相当し、表示装置８０が表示装置に該当し、乳半板８２が表示部に相当し、固定部材９０が固定部材に相当する。なお、フレキシブルプリント基板２０の使用方法を説明することにより、本発明のフレキシブルプリント基板の使用方法の一例を明らかにしている。
【００２１】
次に、図１を用いて、本発明の実施の形態の一例であるフレキシブルプリント基板２０の構成を詳しく説明する。本発明の実施の形態の一例であるフレキシブルプリント基板２０は、図１Ａに示すように、一端側（図１Ａ中下方側）に設けられたＬＥＤ配置部３０と、他端側（図１Ａ中上方側）に設けられた配線配置部５０と、を有しており、図１Ａ中に横方向に記載した破線部で折り曲げて使用する。また、このフレキシブルプリント基板２０は、ＬＥＤ配置部３０に設けられた正面発光型の白色発光型発光ダイオード３２（以下、「ＬＥＤ３２」と言う。）が６個毎（図１Ａ中に縦方向で記載した一点破線の位置）に切り取り可能である。なお、以下の説明においては、ＬＥＤ３２が６個含まれた状態を１つのフレキシブルプリント基板２０として説明する。
【００２２】
ＬＥＤ配置部３０は、図１Ａに示すように、フレキシブルプリント基板２０の一端側に設けられており、フレキシブルプリント基板２０の一端に沿って、複数のＬＥＤ３２と複数のチップ抵抗３６とがそれぞれ一列に配置されている。このとき、チップ抵抗３６は、ＬＥＤ３２が３つに対して１つの割合で配置されている。また、複数のＬＥＤ３２とＬＥＤ３２との間には、それぞれ切り込み３４が一端面からＬＥＤ配置部３０の方向にそれぞれ設けられている。この切り込み３４のＬＥＤ配置部３０側の端部には、上面から見た際に略円形形状の終端部３５が設けられている。切り込み３４の長さは全て同一であるため、切り込み３４の長さがそれぞれ異なる場合と比較して、整然とした優れた美観を与えることができる。加えて、この切り込み３４は、それぞれ一端面に対して略直角に設けられているため、それぞれの切り込み３４と一端面との角度が異なる場合と比較して、整然とした美観を与えることができる。
【００２３】
終端部３５は、図１に示すように、ＬＥＤ配置部３０の表面側から見た際には略円形形状であり、略円柱形状の側面側が切り込み３４と連接している。このとき、切り込み３４の長さは全て同一であるため、終端部３５の位置も、ＬＥＤ配置部３０の端部から等距離に直線状に位置することになり、整然とした優れた美観を与えることができる。
【００２４】
配線配置部５０は、図１に示すように、フレキシブルプリント基板２０の他端側に所定のパターンに描かれた配線５２と、配線５２の端部に設けられたスルーホール５４と、が設けられている。この配線５２は、ＬＥＤ配置部３０に設けられたＬＥＤ３２やチップ抵抗３６等の電子部品を電気的に接続する。このとき、ＬＥＤ３２やチップ抵抗３６等の電子部品は全てＬＥＤ配置部３０に配置され、配線配置部５０には配置されないため、配線配置部５０を湾曲させた際に、これらの電子部品によって湾曲が妨げられる可能性がない。言い換えると、配線配置部５０を湾曲させた際に、電子部品の形状による凹凸の発生を未然に防ぐことができる。
【００２５】
次に、こうして構成された本実施の形態のフレキシブルプリント基板２０の使用方法の一例について図２及び図３を用いて詳しく説明する。ここで、図２は、フレキシブルプリント基板２０を折り曲げる様子を説明するための説明図であり、図２Ａは、使用前のフレキシブルプリント基板２０を、図２Ｂは、折り曲げた状態のフレキシブルプリント基板２０を、をそれぞれ示している。また、図３は、配線配置部５０を湾曲させた状態のフレキシブルプリント基板２０の構成の概略を示す斜視図である。
【００２６】
使用前のフレキシブルプリント基板２０は、図２Ａに示すように、ＬＥＤ配置部３０と配線配置部５０とが同一平面上に位置している。フレキシブルプリント基板２０を使用する際には、図２に示すように、図２Ａに示す点線に沿ってＬＥＤ配置部３０の表面側と配線配置部５０の表面側とが近づく方向に略９０度となるように折り曲げる。なお、図２Ａに示す点線の位置は、終端部３５の略中央を結んだ直線上の位置である。
【００２７】
続いて、配線配置部５０を裏面側方向に湾曲させる。配線配置部５０を湾曲させると、配線配置部５０が湾曲するに伴って、図３に示すように、ＬＥＤ配置部３０に設けられた切り込み３４の一端側が開く。このように、ＬＥＤ配置部３０に切り込み３４が設けられているため、フレキシブルプリント基板２０を折り曲げた状態で、ＬＥＤ配置部３０とは反対側に配線配置部５０を湾曲することができる。このとき、切り込み３４の内側端部には、表面側から見た際に略円形形状である終端部３５が設けられているため、配線配置部５０を湾曲させ、切り込み３４の一端側が開いた際に、切り込み３４が配線配置部５０の方向に伸長し、配線配置部５０が損傷したり、配線５２が断線したりする可能性を未然に低減することができる。また、切り込み３４の長さは全て同一であるため、ＬＥＤ配置部３０が湾曲面から等距離に位置することになり、優れた美観を与えることができる。更に、終端部３５の位置が略円弧上に位置することになり、優れた美観を与えることができる。
【００２８】
次に、湾曲させたフレキシブルプリント基板２０を用いた照明装置６０について、図４を用いて説明する。ここで図４は、照明装置６０の構成の概略を示す分解斜視図である。この照明装置６０は、図４に示すように、主面が湾曲した導光板７０の端部にＬ字部材７２に固定したフレキシブルプリント基板２０を配置したものである。フレキシブルプリント基板２０には図示しない電源ユニットが接続されており、フレキシブルプリント基板２０に電力が供給されると、ＬＥＤ３２が導光板７０の側面側に光を照射し、導光板７０によって主面に光が導光される。
【００２９】
導光板７０は、湾曲面である主面に複数の図示しない拡散ドットが設けられている。この導光板７０に側面から光が入射されると、拡散ドットにより光が屈折し、主に主面から光が導光される。この拡散ドットは、略四角錐形状に凹む凹部であり、四角錐の底面に相当する位置が導光板７０の一面側に位置するように設けられている。この拡散ドットを形成する四角錐の底面の各頂点を結ぶ各対角線は、導光板７０の各辺とそれぞれ略平行となるように設けられている。このため、側面から光が入射した場合には、この対角線と光路とが略平行になり、四角錐の各面に対して光が垂直に入射することがない。言い換えると、側面から入射した光が拡散ドットで屈曲せずに直進する可能性が無いため、四角錐の底面の各辺が導光板７０の各辺と略平行である場合と比較して、より明るく見える。なお、この拡散ドットは、略四角錐形状に凹む凹部に限定するものではなく、半球状の凹部、円錐状の凹部であってもよく、スクリーン印刷等によって盛り上がるように（凸状）に形成してもよい。
【００３０】
次に、フレキシブルプリント基板２０の配置位置について、図５を用いて更に詳しく説明する。ここで図５は、照明装置６０の部分拡大側面図であり、フレキシブルプリント基板２０が配置された導光板７０の端部を示している。フレキシブルプリント基板２０を導光板７０の端部に配置する際には、図５に示すように、フレキシブルプリント基板２０を図示しない両面テープでＬ字部材７２に固定し、Ｌ字部材７２を導光板７０の端部に配置することで、フレキシブルプリント基板２０をＬ字部材７２と導光板７０とで挟み込まれる位置に位置決めする。このとき、導光板７０の側面に対向する位置にＬＥＤ配置部３０が位置し、ＬＥＤ配置部３０と配線配置部５０との間で折れ曲がり、湾曲する主面に対向する位置に配線配置部５０が位置する。こうすることにより、フレキシブルプリント基板２０を導光板７０の端部に沿って配置することができる。このとき、ＬＥＤ配置部３０には正面発光型の白色発光ダイオードであるＬＥＤ３２が設けられているため、ＬＥＤ３２から照射された光は、配線配置部５０と平行な方向、つまり、導光板７０の内部に入射することになる。また、ＬＥＤ３２は、切り込み３４と切り込み３４とに囲まれるＬＥＤ配置部３０に常に一つ配置されることになるため、切り込み３４と切り込み３４とに囲まれるＬＥＤ配置部３０に配置されるＬＥＤの数が異なる場合と比較して、導光板７０に照射される光のムラを低減することができ、美観に優れる。
【００３１】
続いて、この照明装置６０を用いた表示装置８０について、図６を用いて説明する。ここで図６は、表示装置８０の構成の概略を示す斜視図である。図６に示すように、表示装置８０は、図示しない表示情報（例えば、「ＡＢＣ」からなる文字等）を有する表示フィルムが貼着された乳半板８２が導光板７０の主面の表面側に配置されている。このため、導光板７０の主面から照射された光により、表示情報を表示することができる。
【００３２】
以上詳述した本実施の形態のフレキシブルプリント基板２０によれば、ＬＥＤ配置部３０に一方端から他方端側に向かって切り込み３４を有し、ＬＥＤ配置部３０と配線配置部５０と間で折り曲げることができる。このため、ＬＥＤ配置部３０と配線配置部５０との間で折り曲げた状態で配線配置部５０を湾曲すると、切り込み３４の一方端側が開き、ＬＥＤ配置部３０と配線配置部５０との間で折り曲げた状態で配線配置部５０を湾曲することができる。このため、主面が湾曲する導光板７０の端部にフレキシブルプリント基板２０を配置することができる。このとき、配線配置部５０には配線５２が配置されＬＥＤ３２やチップ抵抗３６が配置されていないため、湾曲面に沿って配線配置部５０を湾曲させる際、配線配置部５０の湾曲がＬＥＤ３２やチップ抵抗３６によって妨げられることがない。
【００３３】
また、切り込み３４の他方端側には、終端部３５が設けられているため、終端部３５に沿って折り曲げることで、ＬＥＤ配置部３０と配線配置部５０との間で容易に折り曲げることができる。このとき、終端部３５は、上から見た際に略円形形状であるため、切り込み３４の一端側が広がった際に、切り込み３４の他方端側が破損する可能性を未然に低減することができる。言い換えると、切り込み３４が延伸し、配線配置部５０を破損したり、配線配置部５０に設けられた配線５２を破損したりして、ＬＥＤ３２に電力が供給されなくなる可能性を未然に低減することができる。
【００３４】
更にまた、ＬＥＤ配置部３０と配線配置部５０との間で９０°の角度で折り曲げられるため、導光板７０の主面に沿って配線配置部５０を配置し、側面に沿ってＬＥＤ配置部３０を配置することができる。
【００３５】
そして、配線配置部５０には、配線５２以外の電子部品が備えられていないため、配線配置部５０に電子部品がはんだ等で取り付けられることが無い。このため、配線配置部５０を湾曲させる際、はんだ等に亀裂が生じたり、はんだ等が剥落したりして、不具合が生じる可能性を未然に低減することができる。また、配線配置部５０に電子部品が備えられていないため、配線配置部５０を湾曲させる際、電子部品によって妨げられることがない。言い換えると、配線配置部５０を湾曲する際に電子部品の形状による凹凸が生じることを未然に防ぐことができ、配線配置部５０を湾曲面に沿って配置することができるため、美観に優れる。
【００３６】
そして更に、切り込み３４の長さは全て同一の長さであるため、折り曲げ部４０でフレキシブルプリント基板２０を折り曲げた際、終端部３５が円弧上に位置することになり、美観に優れる。
【００３７】
そして更にまた、切り込み３４は、ＬＥＤ３２とＬＥＤ３２の間の全ての場所に設けられているため、ＬＥＤ３２とＬＥＤ３２との間の一部のみに設けられている場合と比較して、ＬＥＤ３２が規則的に配置されることになり、美観に優れる。また、湾曲面を有する導光板７０の端部に配置した際には、導光板７０の内部に照射される光のムラを低減することができる。
【００３８】
加えて、ＬＥＤ３２は正面発光型のＬＥＤであるため、導光板７０の端部にフレキシブルプリント基板２０を配置した際に、導光板７０の内部に光を照射することができる。
【００３９】
なお、本発明は上述した実施の形態に何ら限定されることはなく、本発明の技術的範囲に属する限り種々の態様で実施し得ることはいうまでもない。
【００４０】
例えば、上述した実施の形態では、図２Ａに示す点線に沿ってＬＥＤ配置部３０の表面側と配線配置部５０の表面側とが近づく方向に略９０度となるように折り曲げるものとしたが、図７に示すように、ＬＥＤ配置部３０の裏面側と配線配置部５０の裏面側とが近づく方向に折り曲げてもよい。こうすれば、固定部材９０にフレキシブルプリント基板２０を沿わせた状態で配置することができ、フレキシブルプリント基板２０を配置する際の自由度を上げることができる。なお、固定部材９０にフレキシブルプリント基板２０を固定する方法としては、例えば、両面テープ等で固定してもよい。
【００４１】
この態様を採用した場合において、固定部材９０は、熱伝導率の高い材質（例えば、鉄等の金属等）を用いてもよい。こうすれば、フレキシブルプリント基板２０を冷却することができるため、発熱によりＬＥＤ等の電子部品に不具合が生じる可能性を未然に低減することができる。なお、固定部材９０が金属製の場合には、両面テープを用いることにより、固定と絶縁とを同時に行うことができる。
【００４２】
上述した実施の形態では、ＬＥＤ３２とＬＥＤ３２との間の全ての場所に切り込み３４を設けるものとしたが、必ずしも全ての場所に設ける必要は無く、切り込み３４と切り込み３４との間にＬＥＤ３２が複数配置される位置に切り込み３４を設けてもよい。この場合も、上述した実施の形態と同様の効果が得られる。
【００４３】
上述した実施の形態では、切り込み３４の長さは全て同一であるものとしたが、必ずしも全ての長さが同一でなくともよい。例えば、切り込み３４の長さを複数種類（例えば、２種類）とすることにより、切り込み３４の長さで美観に変化を与えることができる。また、切り込み３４の幅も、同一であってもよいし、複数種類（例えば、２種類）としてもよい。同一の幅にすれば整然とした美観を与えることができるし、複数種類とすれば、美観に変化を与えることができる。
【００４４】
上述した実施の形態では、ＬＥＤ配置部３０に切り込み３４を備えるものとしたが、周りよりも薄く形成したり点線等を形成したりして容易に切り取ることができるようにしてもよい。この場合も、上述した実施の形態と同様の効果が得られる。
【００４５】
上述した実施の形態では、ＬＥＤ配置部３０にＬＥＤ３２を備えるものとしたが、ＬＥＤ３２以外の電子部品として、例えば、コンデンサやキャパシタを備えていてもよい。こうすれば、フレキシブルプリント基板２０に所望の電子回路を構築することができる。
【００４６】
上述した実施の形態では、導光板７０の表面に表示情報を有する表示フィルムが貼着された乳半板８２が主面の表面側に配置されているものとしたが、乳半板８２を配置する代わりに、導光板７０の表面に設けられた拡散ドットを特定の位置に配置することで所望の情報を表示してもよいし、導光板７０の表面をレーザー加工することにより、所望の情報を表示してもよい。いずれの場合も、上述した実施の形態と同様の効果が得られる。
【産業上の利用可能性】
【００４７】
上述した実施の形態で示すように、電子機器分野、特に、照明装置の配線基板として利用することができる。
【符号の説明】
【００４８】
２０...フレキシブルプリント基板、３０...光源配置部、３２...ＬＥＤ、
３４...切り込み、３５...終端部、３６...チップ抵抗、５０...配線配置部、
５２...配線、５４...スルーホール、６０...照明装置、７０...導光板、
７２...Ｌ字部材、８０...表示装置、８２...乳半板、９０...固定部材
【図１】
2013183099.tif 000003
【図２】
2013183099.tif 000004
【図３】
2013183099.tif 000005
【図４】
2013183099.tif 000006
【図５】
2013183099.tif 000007
【図６】
2013183099.tif 000008
【図７】
2013183099.tif 000009